(57)【要約】      （修正有）【課題】保持要素が容易な方法で安全に調節可能な手術台用の頭部支持体を提供する。【解決手段】回転自在に取り付けられ、収容領域３２に収容可能な患者の頭部の第１の側面を包囲する第１の保持要素１２と、回転自在に取り付けられ、頭部の第２の側面を包囲する第２の保持要素１４と、を備える手術台用の頭部支持体１０に関する。保持要素の１つが回転するときに、連結要素１６が他の保持要素を回転させるように、２つの保持要素は、連結要素により連結領域で相互に連結される。連結領域と収容領域との間に、収容領域に収容可能な頭部を支持する静置された支持要素３３が提供される。【選択図】図６
2014087607.tif 000002
【特許請求の範囲】
【請求項１】
手術台用の頭部支持体であって、
第１の回転軸に対して回転自在に取り付けられ、前記頭部支持体の収容領域に収容可能な患者の頭部の第１の側面を包囲する第１の保持要素と、
第２の回転軸に対して回転自在に取り付けられ、前記患者の頭部の第２の側面を包囲する第２の保持要素と、
を備え、
前記第１の保持要素と前記第２の保持要素は、少なくとも１つの連結要素により連結領域で相互に連結され、前記連結要素は、前記保持要素の１つが回転したときに他の前記保持要素を回転させ、
前記収容領域に収容可能な前記頭部を支持する静置された支持要素は、前記連結領域と前記収容領域との間に提供されることを特徴とする頭部支持体。
【請求項２】
前記支持要素は、前記頭部の裏を支持する弓形の支持表面を備える請求項１に記載の頭部支持体。
【請求項３】
前記支持要素は、肉盛を備える請求項１又は２に記載の頭部支持体。
【請求項４】
前記連結要素は、少なくとも１つの嵌歯歯車部分を備える請求項１から３の何れか一項に記載の頭部支持体。
【請求項５】
前記連結要素は、前記第１の保持要素に強固に接続された第１の嵌歯歯車部分と、前記第２の保持要素に強固に接続された第２の嵌歯歯車部分と、を備え、前記第１の嵌歯歯車部分と前記第２の嵌歯歯車部分は、相互に結合している請求項１から４の何れか一項に記載の頭部支持体。
【請求項６】
前記第１の嵌歯歯車部分と前記第１の保持要素及び／又は前記第２の嵌歯歯車部分と前記第２の保持要素は、一体的に形成される請求項５に記載の頭部支持体。
【請求項７】
前記第１の保持要素は、前記頭部支持体の中心面に対して前記第２の保持要素と鏡面対称に形成される請求項１から６の何れか一項に記載の頭部支持体。
【請求項８】
前記頭部支持体は、前記手術台に固定する結合要素を備える請求項１から７の何れか一項に記載の頭部支持体。
【請求項９】
前記連結要素は、前記結合要素と前記支持要素との間に配置される請求項８に記載の頭部支持体。
【請求項１０】
２つの前記保持要素を接続する第１のベルトが提供される請求項１から９の何れか一項に記載の頭部支持体。
【請求項１１】
２つの前記保持要素を接続する第２のベルトが提供され、前記第１のベルトは前記患者の前頭を包囲し、前記第２のベルトは前記患者の顎を包囲する請求項１０に記載の頭部支持体。
【請求項１２】
前記第１のベルト及び／又は前記第２のベルトは、弾性材料からなる請求項１０又は１１に記載の頭部支持体。
【請求項１３】
前記連結要素は、前記保持要素の第１の端部に配置され、前記第１のベルト及び／又は前記第２のベルトは、前記第１の保持要素の前記第１の端部の反対の前記第１の保持要素の第２の端部、及び前記第２の保持要素の前記第１の端部の反対の前記第２の保持要素の第２の端部に配置される請求項１０から１２の何れか一項に記載の頭部支持体。
【請求項１４】
前記保持要素は、閉状態で少なくとも３つの側面で前記患者の頭部を包囲し、開状態で前記頭部を包囲しない請求項１から１３の何れか一項に記載の頭部支持体。
【請求項１５】
前記連結要素と前記保持要素は、開状態の前記保持要素が前記患者を治療する者の腕用の支持体として役立つように設計される請求項１４に記載の頭部支持体。
【発明の詳細な説明】
【技術分野】
【０００１】
本発明は、第１の回転軸に対して回転自在に取り付けられ、頭部支持体の収容領域に収容可能な患者の頭部の第１の側面を包囲する第１の保持要素と、第２の回転軸に対して回転自在に取り付けられ、その患者の頭部の第２の側面を包囲する第２の保持要素と、を備える手術台用の頭部支持体に関する。第１の保持要素と第２の保持要素は、一方の保持要素を回転させたときに連結要素が他方の保持要素を回転させるように、少なくとも１つの連結要素により連結領域で相互に連結される。
【背景技術】
【０００２】
通常、患者は、肩領域の手術中に手術台に仰向けに支持される。頭部を支持する頭部支持体は、患者に対して可能な限り低リスクである手術の安全な性能を保証するために行われる手術中の頭部の確実な固定により手術台に取り付けられる。
【０００３】
米国特許出願公開第２００２／０１６９４６０号明細書により、頭部支持体は、それぞれの側面で患者の頭部を包囲する２つの保持要素を備え、これらが連結領域で相互に連結されることが知られている。この目的のために弓形の長穴が２つの保持要素の１つに提供され、その長穴に他の保持要素が案内されるようにピンが接続される。従って、一方の保持要素を開閉するときに他の保持要素が共に回転されて開閉される。この連結の問題の１つの態様は、長穴とピンによる連結が比較的不安定であり、容易に絡まってしまい、同期的な開閉が保証されないということである。他の問題の態様は、連結領域に配置された患者の頭部の裏に容易に絡まってしまい、損傷をもたらす虞があるということである。
【０００４】
他の頭部支持体は、米国特許第５１５４１８６号明細書、米国特許第２５３５５５９号明細書、米国特許第４５４５５７２号明細書、国際公開第００／６６０５９号、米国特許第４０３４７４８号明細書、国際公開第０１／４９２２３号、米国特許第７２６３７３３号明細書、米国特許出願公開第２０１１／００３５８８２号明細書、及び欧州特許第１２１９２７６号明細書により知られている。
【発明の概要】
【発明が解決しようとする課題】
【０００５】
本発明の目的は、その保持要素が容易な方法で安全に調節可能な手術台用の頭部支持体を提供することを目的とする。
【課題を解決するための手段】
【０００６】
この目的は、請求項１の特徴を有する頭部支持体により解決される。本発明の好適な実施の形態は従属項で特定される。
【０００７】
本発明によれば、収容領域に収容可能な頭部を支持する静置された支持要素は、連結領域と収容領域との間に提供される。この要素により、保持要素を開閉するときに、即ちそれらが回転軸のそれぞれに対して回転されたときに、それが防止され、頭部が連結要素により捕捉される。更に、逆に、一方の保持要素が調節されたときに他方の保持要素が同様に自動的に調節され、容易且つ安全な操作が可能なように、２つの保持要素の間の連結が確実に行われることが保証される。支持要素を静置することはここでは接続を意味し、特に、第１の保持要素及び／又は第２の保持要素が回転されたときに支持要素が移動されず、しかし、手術台及び／又は頭部支持体の他の部品に関連する一定の位置を有することを意味する。
【０００８】
特に、支持要素は、患者の頭部の裏を人間工学的に保持し、滑動を防止することができるように、支持表面が患者の頭部の裏を支持するために弓形を有する。特に、頭部の裏のより快適な支持が保証されるように、支持要素は同様に弓形の肉盛を有する。特に、弓形の支持表面は、支持表面が頭部の裏の輪郭に対して人間工学的に適しており、茶碗形又は分割された円柱構造を有することを意味する。
【０００９】
それは特に連結要素が少なくとも１つの嵌歯歯車部分を含むときに有利である。特定の有利な実施の形態では、連結要素は第１の嵌歯歯車部分と第２の嵌歯歯車部分とを含み、第１の嵌歯歯車部分は第１の保持要素に強固に接続され、第２の嵌歯歯車部分は第２の保持要素に強固に接続される。２つの嵌歯歯車部分は、相互に歯合する歯により相互に結合している。２つの嵌歯歯車部分により、第１の保持要素が第１の回転軸に対して回転されたときに２つの保持要素の同期的な開閉が行われるように、第２の保持要素が第２の回転軸に対して同期的に回転することが達成される。嵌歯歯車部分を介した連結は、安定しており、確実な連結が行えるという長所を更に有する。保持要素は、それぞれの嵌歯歯車部分に強固に接続される。
【００１０】
他の実施の形態では、嵌歯歯車「全体」は、嵌歯歯車部分の代わりに提供することができる。ここで、それぞれの嵌歯歯車はそれぞれの保持要素と連結され、好ましくは強固に接続される。
【００１１】
第１の嵌歯歯車部分と第１の保持要素及び／又は第２の嵌歯歯車部分と第２の保持要素が一体的に形成されるときに特に有利である。特に、第１の保持要素と第１の嵌歯歯車部分及び／又は第２の保持要素と第２の嵌歯歯車部分は射出成形処理の樹脂からなる。従って、継ぎ目の無い安定要素の容易な製造が可能である。組み立ては同様に簡素化される。
【００１２】
特に、頭部支持体は、それが頭部支持体の中心面に対して対称に形成される。従って、特に、第１の保持要素及び第２の保持要素は中心面に鏡面対称である。
【００１３】
特に、頭部支持体は、頭部支持体を手術台に固定する結合要素を有する。結合要素は、好ましくは手術台の相補的に形成されたレール上で結合要素が滑走することができる収容領域を含み、そのレールは収容領域に部分的に収容される。頭部支持体は、滑走が防止されるように、取り付けねじを介してレールに固定されることができる。
【００１４】
特に、連結要素は、単純な小型構造が達成され、更に損傷が防止されるように、結合要素と支持要素との間に配置される。
【００１５】
特に、好適な実施の形態では、２つの保持要素を接続する第１のベルトが提供される。２つの保持要素は、特に、２つの保持要素が確実に保持され、それにより、頭部の確実な固定が行われるように、それらが患者の閉状態で頭部を包囲するときに、第１のベルトを介して相互に接続されることができる。
【００１６】
特に有利な実施の形態では、２つの保持要素を接続し、特に、それらとの間に収容された頭部が確実に固定されるように、閉状態で相互に２つの保持要素を接続するための役目を果たす第２のベルトが第１のベルトに加えて提供される。
【００１７】
特に、第１のベルトはそれが患者の前頭を包囲するように保持要素に配置され、第２のベルトはそれが患者の顎を包囲するように配置される。
【００１８】
特に、連結要素は、２つの保持要素の第１の端部にそれぞれ配置される。第１のベルト及び／又は第２のベルトは、第１の保持要素の第１の端部の反対の第１の保持要素の第２の端部、及び第２の保持要素の第１の端部の反対の第２の保持要素の第２の端部に配置される。従って、頭部は、２つの保持要素と２本のベルトとを介して完全に包囲され、その結果、確実な固定が行われる。
【００１９】
特に、第１の保持要素及び／又は第２の保持要素は、それらが頭部の形状に適応する場合があり、安全な固定が無くても損傷を防止することができるように弾性材料からなる。ここで、特に、２つの保持要素は、第１／第２の保持要素の端に２５０Ｎの力が作用するように形成され、ベルトが第１／第２の保持要素と接触する場合には、１０ｍｍから２０ｍｍ、特に１２ｍｍから１８ｍｍの弾性変形が生じる。
【００２０】
閉状態では、２つの保持要素及び支持要素は、安全な固定が行われるように少なくとも３つの側面で患者の頭部を相互に包囲する。保持要素又は両方の保持要素の１つの対応する回転により、それらは閉状態から患者の頭部が包囲されない開状態に旋回することができる。開状態では、患者は、容易な方法で収容領域に配置されることができ、閉状態では、頭部の安全な固定が行われる。
【００２１】
特に、連結要素と保持要素は、開状態で保持要素が患者を治療する者の腕用の支持体として役立つように設計される。この目的のために、特に、それらは確実に腕を支持する方式で剛直に形成される。このように、患者を治療する者は、保持要素にその人の前腕を支持、即ち彼／彼女が患者に差し込むことができる。ここで、その支持は安全に管を差し込むことができることを保証する。
【００２２】
保持要素もそれらの対応する形状及び柔軟性により袖と指称される。
【００２３】
本発明のその他の特徴及び利点は、添付された図面に関連する実施の形態について本発明をより詳細に説明する以下の説明がもたらす。
【図面の簡単な説明】
【００２４】
【図１】第１の実施の形態による頭部支持体を示す概略斜視図である。
【図２】図１による頭部支持体の背面図である。
【図３】図１及び２による頭部支持体の側面である。
【図４】Ａ−Ａ断面に沿った図１から図３による頭部支持体の側断面図である。
【図５】Ｂ−Ｂ断面に沿った図１から図４による頭部支持体の更なる側断面図である。
【図６】Ｃ−Ｃ断面に沿った図１から図５による頭部支持体の正断面図である。
【図７】Ｄ−Ｄ断面に沿った図１から図６による頭部支持体の下面の断面図である。
【図８】開状態の図１から図７による頭部支持体の概略図である。
【図９】開状態の図１から図８による頭部支持体の更なる概略図である。
【図１０】Ｅ−Ｅ断面に沿った開状態の図１から図９による頭部支持体の断面図である。
【図１１】第２の実施の形態による頭部支持体の斜視図である。
【図１２】図１１による頭部支持体の正面図である。
【図１３】Ｆ−Ｆ断面に沿った図１１及び図１２による頭部支持体の正断面図である。
【図１４】Ｇ−Ｇ断面に沿った図１１から図１３による頭部支持体の側断面図である。
【図１５】Ｈ−Ｈ断面に沿った図１１から図１４による頭部支持体の背断面図である。
【発明を実施するための形態】
【００２５】
図１には、第１の実施の形態による手術台用の頭部支持体１０の概略図が示される。特に、頭部支持体１０は、肩の手術中に手術される患者の頭部を支持すると共に確実に固定するために図示しない手術台に取り付けられる。
【００２６】
ここで、患者は手術台に仰向け、即ち顔を上げて配置される。
【００２７】
図２及び図３には、図１による頭部支持体１０の背面図及び側面図が示される。図４から図７は、それぞれ頭部支持体１０の断面を示し、図４及び図５にはそれぞれ側面図、図６には正面図、図７には下面図が示される。図８及び図９は、それぞれ開状態の頭部支持体１０の概略図を示す。図１０は、開状態の頭部支持体１０を断面図として示す。以下では、図１から図１０に関連する頭部支持体１０の構造及び機能がより詳細に説明される。
【００２８】
頭部支持体１０は、２つの袖のように形成された保持要素１２、１４を含み、これらは図１から図７で示された閉状態から図８から図１０で示された開状態に同期的に旋回することができるように連結要素１６を介して相互に連結される。
【００２９】
連結要素１６は、第１の保持要素１２と一体的に形成された第１の嵌歯歯車部分１８と、第２の保持要素２０と一体的に形成された第２の嵌歯歯車部分２０と、を備え、これらは相互に歯合することにより相互に結合する。第１の保持要素１２は第１の回転軸２２に対して回転自在に取り付けられ、第２の保持要素１４は第２の回転軸２４に対して回転自在に取り付けられる。２つの嵌歯歯車部分１８、２０を介した連結により、２つの保持要素１２、１４の１つが回転軸２２、２４のそれぞれに対して回転するときに、他の保持要素１２、１４のそれぞれが連結を介して回転軸２２、２４に対して同様に共に回転されることが達成される。従って、保持要素１２、１４の１つのみを動かすときに、２つの保持要素１２、１４の同期的な開閉が達成される。
【００３０】
嵌歯歯車部分１８、２０は、開状態で医師の腕を支持するために２つの保持要素１２、１４を使用することができるように、安定した連結を行う効果を有する。特に、医師は、彼が手術台に既に支持された患者に挿管するときに、及び手術前に彼の頭部を頭部支持体１０に下ろすときに、保持要素で彼自身を支援することができる。
【００３１】
更に、頭部支持体１０は、頭部支持体１０を手術台に固定することができる結合要素２６を備える。この目的のために、特に、レールは、レールで結合要素２６を滑走させることができるように、結合要素２６の収容領域２８に相補的に形成される手術台に提供される。頭部支持体１０は、望まれない滑走が防止されるように、回転つまみ３０を介してレールの所望位置で固定されることができる。
【００３２】
更に、頭部支持体１０は、嵌歯歯車部分１８、２０と患者の頭部が収容される収容領域３２との間に配置される支持要素３３を含む。特に、支持要素３３には、患者の頭部の裏が支持される肉盛３４が提供される。この目的のために、特に、支持要素３３及び／又は肉盛３４は、弓形に形成されることにより、人間の頭部の裏の人間工学に適合される。
【００３３】
患者を支持する頭部支持体１０は、頭部が収容領域３２に容易に収容されることができ、肉盛３４上の頭部の裏を介して横たわるように、図８から図１０で示される開状態で配置される。続いて、２つの保持要素１２、１４の１つが矢印Ｐ１又は矢印Ｐ２の方向に回転されることにより、開状態から図１から図７に示された閉状態となる。連結及び嵌歯歯車部分１８、２０を介して他の保持要素１２、１４は同様に移動される。閉状態では、その後、頭部が支持要素３３に加えて２つの保持要素１２、１４により少なくとも３つの側面で包囲されるように、２つの保持要素１２、１４が頭部の２つの側面を包囲することにより、所望の位置で固定される。
【００３４】
支持要素３３は、２つの保持要素１２、１４が嵌歯歯車部分１８、２０を介して連結される連結位置から頭部を離間させる効果を有することにより、クランプすることができない。従って、一方では損傷は防止され、他方では保持要素１２、１４の調整が確実に行われることが保証される。
【００３５】
２つの保持要素１２、１４が閉状態に回転した後、特に、それらは２本のベルト４０、４２を介してこの位置に固定されることができる。ベルト４０、４２は、対応するスロット４４、４６を通じて嵌歯歯車部分１８、２０の反対の保持要素１２、１４の端に案内される。ベルト４０及び４２は、ベルクロファスナーを介して収容された頭部の寸法に適合する長さにされる。第１のベルト４０は収容領域３２に収容された頭部の前頭を介して案内され、第２のベルト４２は顎の周囲に案内される。従って、頭部の安全で確実な損傷の無い固定が行われる。
【００３６】
両方のベルト４０、４２のそれぞれの少なくとも１つの肉盛４８、５０は、好適な実施の形態で提供することができる。同様に、１つ又は複数の肉盛５２、５４が頭部に直面する保持要素１２、１４の側面のそれぞれに配置されることができる。
【００３７】
特に、保持要素１２、１４は、それらが剛直でなく、従って、損傷が防止されるように可撓性材料からなる。更に、保持要素１２、１４は、規定の範囲の頭部の輪郭に適合することができる。
【００３８】
図８から図１０には、頭部支持体１０の概略図がそれぞれ示され、ベルト４０、４２及び肉盛４８から５４は、特に示されない。
【００３９】
図１１は、第２の実施の形態による頭部支持体１００の概略斜視図を示す。同一の構造及び同一の機能を有する要素は、同一の引用符号により識別される。
【００４０】
図１２には、図１１による頭部支持体１００の正面図が示される。図１３から図１５は、図１１及び図１２による頭部支持体１００の断面図が示され、図１３には正面図、図１４には側面図、図１５には背面図が示される。
【００４１】
第２の実施の形態は、スロット４６の対応する他の配置により他の角度で第２のベルト４２が配置される点でのみ第１の実施の形態と異なる。
【００４２】
本発明の他の実施の形態では、ベルト４０、４２の１本のみ又はベルト４０、４２が無いものを提供することができる。同様に、他の実施の形態では、支持要素３３に肉盛３４が無いものを提供することができ、及び／又は保持要素１２、１４及び／又はベルト４０及び４２の肉盛４８から５４が無いものを提供することができる。
【符号の説明】
【００４３】
１０、１００  頭部支持体
１２、１４  保持要素
１６  連結要素
１８、２０  嵌歯歯車部分
２２、２４  回転軸
２６  結合要素
２８  収容領域
３０  回転つまみ
３２  収容領域
３３  支持要素
３４、４８、５０、５２、５４  肉盛
４０、４２  ベルト
４４、４６  スロット
Ｐ１、Ｐ２  方向
【図１】
2014087607.tif 000003
【図２】
2014087607.tif 000004
【図３】
2014087607.tif 000005
【図４】
2014087607.tif 000006
【図５】
2014087607.tif 000007
【図６】
2014087607.tif 000008
【図７】
2014087607.tif 000009
【図８】
2014087607.tif 000010
【図９】
2014087607.tif 000011
【図１０】
2014087607.tif 000012
【図１１】
2014087607.tif 000013
【図１２】
2014087607.tif 000014
【図１３】
2014087607.tif 000015
【図１４】
2014087607.tif 000016
【図１５】
2014087607.tif 000017
【外国語明細書】
2014087607000001.pdf